(57)【特許請求の範囲】
【請求項１】
インターネットなどのネットワークを利用した携帯電話メール配信システムであって、
前記ネットワークを介して受信したメールを携帯電話に送信するメール管理センターと、
該メール管理センターから基地局経由でメールを受信する携帯電話とを備え、
メール管理センターは、受信したメールのデータを管理するメールサーバーと、前記携帯電話の利用者からの指示に基づくメールアドレス及び該メールアドレスごとに重要度を示す重要度番号がそれぞれ登録され、電話帳の機能を有する電話帳管理サーバーとを有し、
前記携帯電話は、受信した前記メールを記憶するメモリを有し、
前記メールサーバーは、受信したメールのメールアドレスが前記電話帳管理サーバーに予め登録されているかどうか照合を行ない、予め登録されているメールアドレスに該当するメールのみについて、前記電話帳管理サーバーに登録された前記重要度番号に基づき、前記メールのメール本文の送信文字数を設定し、設定された前記メール本文の送信文字数を含むメールを前記携帯電話に送信して前記メモリに記憶させる
ことを特徴とする携帯電話メール配信システム。
【請求項２】
前記重要度番号は、
前記メールアドレスと前記メールの題名とメール本文の送信限界文字数とを加えたメール全体の送信文字数を設定する第１の重要度番号と、
前記メールアドレスと前記題名と前記メール本文の送信限界文字数の半分とを加えたメール全体の送信文字数を設定する第２の重要度番号と、
前記メールアドレスと前記題名と前記メール本文の送信限界文字数の半分未満となる所定文字数とを加えたメール全体の送信文字数を設定する第３の重要度番号と、
前記メールアドレスと前記題名とを加えたメール全体の送信文字数を設定する第４の重要度番号とを含む
ことを特徴とする請求項１に記載の携帯電話メール配信システム。
【請求項３】
前記メールサーバーは、前記ネットワークを介して前記メールを送信する送信者により前記メールに付加された識別子を認識し、前記電話帳管理サーバーに登録された前記重要度番号に優先して、前記識別子に基づき、前記メールの前記メール本文の送信文字数を設定する
ことを特徴とする請求項１又は２に記載の携帯電話メール配信システム。
【請求項４】
インターネットなどのネットワークを利用した携帯電話メール配信方法であって、
メール管理センターが前記ネットワークを介してメールを受信する第１のステップと、  受信した前記メールを基地局経由で携帯電話に送信し、該携帯電話が有するメモリに記憶させる第２のステップとを備え、
該第２のステップは、メールサーバーが、受信したメールのメールアドレスが電話帳管理サーバーに予め登録されているかどうか照合を行なう第３のステップと、
予め登録されているメールアドレスに該当するメールのみについて、前記電話帳管理サーバーに登録された前記メールアドレスごとの重要度を示す重要度番号に基づき、前記メールのメール本文の送信文字数を設定する第４のステップと、
設定された前記メール本文の送信文字数を含むメールを前記携帯電話に送信する第５のステップとを含む
ことを特徴とする携帯電話メール配信方法。
【請求項５】
前記第４のステップでは、予め登録されているメールアドレスに該当するメールのみについて、前記電話帳管理サーバーに登録された前記メールアドレスごとに、前記メールアドレスと前記メールの題名とメール本文の送信限界文字数とを加えたメール全体の送信文字数を設定する第１の重要度番号と、前記メールアドレスと前記題名と前記メール本文の送信限界文字数の半分とを加えたメール全体の送信文字数を設定する第２の重要度番号と、前記メールアドレスと前記題名と前記メール本文の送信限界文字数の半分未満となる所定文字数とを加えたメール全体の送信文字数を設定する第３の重要度番号と、前記メールアドレスと前記題名とを加えたメール全体の送信文字数を設定する第４の重要度番号との中から１つ登録された重要度を示す重要度番号に基づき、前記メールのメール本文の送信文字数を設定する
ことを特徴とする請求項４に記載の携帯電話メール配信方法。
【請求項６】
前記第４のステップでは、前記メールサーバーが、前記ネットワークを介して前記メールを送信する送信者により前記メールに付加された識別子を認識し、前記電話帳管理サーバーに登録された前記重要度番号に優先して、前記識別子に基づき、前記メールのメール本文の送信文字数を設定する
ことを特徴とする請求項４又は５に記載の携帯電話メール配信方法。
【請求項７】
コンピュータに請求項４乃至６のいずれかに記載のすべてのステップを実現させるためのプログラムが記録された記憶媒体。
【発明の詳細な説明】
【０００１】
【発明の属する技術分野】
本発明はメール配信システムに関し、特にメールを記憶するメモリサイズの小さい端末に対応した携帯電話メール配信システムに属する。
【０００２】
【従来の技術】
従来、携帯電話の利用率の高まりに伴い多くの件数のメール受信が行なわれている。
【０００３】
特開２０００−２５３１２９号公報には、携帯型の移動通信装置間、あるいは自分のコンピュータ等との間で電話番号等の登録情報を通信し情報の保存を容易に行なうことのできる移動通信装置に関する技術が記載されている。この技術の記載において、データ処理部は、登録データ記憶部に登録された複数の個人情報からなる登録情報から、所望の個人情報について抽出して挿入ＨＴＭＬデータに変換し、予め記憶されているテンプレートＨＴＭＬデータ記憶部のテンプレートＨＴＭＬデータに付加して一連のＨＴＭＬテキストを生成させる。このＨＴＭＬテキストを、出力部から外部の別装置に対して無線により送信する。また、外部からもＨＴＭＬテキストデータを入力部経由で受信し、これを受信ＨＴＭＬデータ記憶部に記憶し、登録データ記憶部に登録されている個人情報を必要に応じて更新する技術である。
【０００４】
【発明が解決しようとする課題】
しかしながら、従来技術には以下に掲げる問題点があった。
【０００５】
第１に携帯電話に対する、不要なダイレクトメールなどが多くなりユーザ操作で消す必要があった。
【０００６】
第２に今後、不要メールの中には携帯電話に障害等悪影響を与えるウイルスメールの防止策が必要になる。
【０００７】
第３に携帯電話はパソコン等のように保存するメモリが少なく、また、メールの受信に必要なメモリに関係なく予め割振られたメモリ容量で、限られたメールを受信をするので、携帯電話のメモリの有効活用ができなかった。
【０００８】
また、携帯電話に個人情報を登録し、この個人情報を利用して情報の送受信を容易に行なう技術では、不特定多数から送信される多量のメールを携帯電話の少ないメモリで受信対応できないなどの問題点があった。
【０００９】
本発明は斯かる問題点を鑑みてなされたものであり、その目的とするところは、送信するメールサイズを予め登録された設定に基づきメールセンター側で切替えることにより有効な受信メールをより多く携帯電話に保存させる、メモリの効率活用及び不要メールの排除を行なう携帯電話メール配信システムに関する技術を提供する点にある。
【００１０】
【課題を解決するための手段】
請求項１記載の本発明の要旨は、インターネットなどのネットワークを利用した携帯電話メール配信システムであって、前記ネットワークを介して受信したメールを携帯電話に送信するメール管理センターと、該メール管理センターから基地局経由でメールを受信する携帯電話とを備え、メール管理センターは、受信したメールのデータを管理するメールサーバーと、前記携帯電話の利用者からの指示に基づくメールアドレス及び該メールアドレスごとに重要度を示す重要度番号がそれぞれ登録され、電話帳の機能を有する電話帳管理サーバーとを有し、前記携帯電話は、受信した前記メールを記憶するメモリを有し、前記メールサーバーは、受信したメールのメールアドレスが前記電話帳管理サーバーに予め登録されているかどうか照合を行ない、予め登録されているメールアドレスに該当するメールのみについて、前記電話帳管理サーバーに登録された前記重要度番号に基づき、前記メールのメール本文の送信文字数を設定し、設定された前記メール本文の送信文字数を含むメールを前記携帯電話に送信して前記メモリに記憶させることを特徴とする携帯電話メール配信システムに存する。
請求項２記載の本発明の要旨は、前記重要度番号は、前記メールアドレスと前記メールの題名とメール本文の送信限界文字数とを加えたメール全体の送信文字数を設定する第１の重要度番号と、前記メールアドレスと前記題名と前記メール本文の送信限界文字数の半分とを加えたメール全体の送信文字数を設定する第２の重要度番号と、前記メールアドレスと前記題名と前記メール本文の送信限界文字数の半分未満となる所定文字数とを加えたメール全体の送信文字数を設定する第３の重要度番号と、前記メールアドレスと前記題名とを加えたメール全体の送信文字数を設定する第４の重要度番号とを含むことを特徴とする請求項１に記載の携帯電話メール配信システムに存する。
請求項３記載の本発明の要旨は、前記メールサーバーは、前記ネットワークを介して前記メールを送信する送信者により前記メールに付加された識別子を認識し、前記電話帳管理サーバーに登録された前記重要度番号に優先して、前記識別子に基づき、前記メールの前記メール本文の送信文字数を設定することを特徴とする請求項１又は２に記載の携帯電話メール配信システムに存する。
請求項４記載の本発明の要旨は、インターネットなどのネットワークを利用した携帯電話メール配信方法であって、メール管理センターが前記ネットワークを介してメールを受信する第１のステップと、受信した前記メールを基地局経由で携帯電話に送信し、該携帯電話が有するメモリに記憶させる第２のステップとを備え、該第２のステップは、メールサーバーが、受信したメールのメールアドレスが電話帳管理サーバーに予め登録されているかどうか照合を行なう第３のステップと、予め登録されているメールアドレスに該当するメールのみについて、前記電話帳管理サーバーに登録された前記メールアドレスごとの重要度を示す重要度番号に基づき、前記メールのメール本文の送信文字数を設定する第４のステップと、設定された前記メール本文の送信文字数を含むメールを前記携帯電話に送信する第５のステップとを含むことを特徴とする携帯電話メール配信方法に存する。
請求項５記載の本発明の要旨は、前記第４のステップでは、予め登録されているメールアドレスに該当するメールのみについて、前記電話帳管理サーバーに登録された前記メールアドレスごとに、前記メールアドレスと前記メールの題名とメール本文の送信限界文字数とを加えたメール全体の送信文字数を設定する第１の重要度番号と、前記メールアドレスと前記題名と前記メール本文の送信限界文字数の半分とを加えたメール全体の送信文字数を設定する第２の重要度番号と、前記メールアドレスと前記題名と前記メール本文の送信限界文字数の半分未満となる所定文字数とを加えたメール全体の送信文字数を設定する第３の重要度番号と、前記メールアドレスと前記題名とを加えたメール全体の送信文字数を設定する第４の重要度番号との中から１つ登録された重要度を示す重要度番号に基づき、前記メールのメール本文の送信文字数を設定することを特徴とする請求項４に記載の携帯電話メール配信方法に存する。
請求項６記載の本発明の要旨は、前記第４のステップでは、前記メールサーバーが、前記ネットワークを介して前記メールを送信する送信者により前記メールに付加された識別子を認識し、前記電話帳管理サーバーに登録された前記重要度番号に優先して、前記識別子に基づき、前記メールのメール本文の送信文字数を設定することを特徴とする請求項４又は５に記載の携帯電話メール配信方法に存する。
請求項７記載の本発明の要旨は、コンピュータに請求項４乃至６のいずれかに記載のすべてのステップを実現させるためのプログラムが記録された記憶媒体に存する。
【００１１】
【発明の実施の形態】
以下、本発明の実施の形態を図面に基づいて詳細に説明する。
【００１２】
図１は、本実施の形態に係る携帯電話メール配信システムの概略構成を示す図である。
【００１３】
図１に示すように、本実施の形態に係る携帯電話メール配信システムは、メール管理センター１と基地局５と受信したメールを記憶するメモリ６Ｍを有する携帯電話６とで概略構成され、メール管理センター１は、メールデータを管理するメールサーバー４とメール管理センター１を制御する制御装置（同期ホスト）２と電話帳管理サーバー３とを備える。
【００１４】
基地局５はメール管理センター１で処理されるメールを中継する。また、メール管理センター１はインターネット７に接続され、ＬＡＮ環境８、ダイヤルアップ９、他の移動端末である携帯電話・ＰＨＳ１０などからのメールが配信される。
【００１５】
メール管理センター１において、受信したメールのメールアドレスと電話帳管理サーバー３に予め登録されているメールアドレスとの照合を行ない、登録されているメールアドレスに該当するメールについて、メールアドレスごとに予め登録されている重要度（例えば１〜４の重要度番号で登録された）を判断し、判断された「１〜４」の重要度に基づき、メール送信時に携帯電話６のメモリ６Ｍに記憶されるメールのメモリサイズを決め、このメモリサイズに対応するようにメールアドレス＋題名＋メール本文の送信文字数を設定して送信を行なう。また、メールアドレスの照合時に、受信したメールアドレスが登録されていない場合にメールは送信せず、メール管理センター１で破棄処理をする。
【００１６】
携帯電話６の利用者は、予めメール管理センター１からのメールアドレス登録のガイダンスなどに従い、電話帳管理サーバー３に受信したいメールアドレスと、各々のメールアドレスについて「１〜４」の重要度の登録を行なう。例えば、「重要度１〜４」で設定された重要度番号に応じて、送信するメール関連情報をメールアドレス＋題名＋メール送信限界文字数、メールアドレス＋題名＋メール限界文字数の半分の文字数、メールアドレス＋題名＋メール本文（５０文字）、メールアドレス＋題名のみというようにメールのメモリサイズを設定して送信する。
【００１７】
図２は、図１における動作の流れの一例を示すフローチャートである。
【００１８】
図１及び図２を参照して携帯電話メール配信システムにおける動作を説明する。
【００１９】
メール管理センター１は、インターネット７経由でメールを受信する（ステップＳ１）。
【００２０】
次に、受信したメールをメール管理サーバー（メールサーバー）４に保存し、受信メールのメールアドレスを電話帳管理サーバー３へ送信し、電話帳管理サーバー３で管理しているメールアドレスであるかどうか判断する（ステップＳ２）。
【００２１】
電話帳管理サーバー３に登録されているメールアドレスである場合（図中、ＹＥＳ）、メールアドレス「重要度１（第１の重要度番号）」であるかどうか判断する（ステップＳ４）。
【００２２】
「重要度１」ではない場合（図中、ＮＯ）、受信したメールのメールアドレスが「重要度２（第２の重要度番号）」であるかどうか判断する（ステップＳ６）。
【００２３】
「重要度２」でない場合（図中、ＮＯ）、受信したメールのメールアドレスが「重要度３（第３の重要度番号）」であるかどうか判断する（ステップＳ８）。
【００２４】
「重要度３」でない場合（図中、ＮＯ）、受信したメールのメールアドレスが「重要度４（第４の重要度番号）」であるかどうか判断する（ステップＳ１０）。
【００２５】
「重要度４」でない場合（図中、ＮＯ）、電話帳管理サーバー３の操作者などにより、該当するメールアドレスについて、仮の重要度番号を登録や携帯電話６に該当するメールアドレスの重要度番号を登録するように促すなど、例外処理を行ない（図示せず）ステップステップＳ４に戻る。
【００２６】
ステップＳ２において、メールアドレスが電話帳管理サーバー３に登録されてなければ受信したメールは携帯電話６に送信しない（ステップＳ３）。
【００２７】
ステップＳ４において、受信したメールのメールアドレスが「重要度１」の場合（図中、ＹＥＳ）、メールアドレス＋題名＋メール本文の送信限界文字数を携帯電話６へ送信する（ステップＳ５）。
【００２８】
ステップＳ６において、受信したメールのメールアドレスが「重要度２」の場合（図中、ＹＥＳ）、メールアドレス＋題名＋メール本文の送信限界文字数の半分を携帯電話６へ送信する（ステップＳ７）。
【００２９】
ステップＳ８において、受信したメールのメールアドレスが「重要度３」の場合（図中、ＹＥＳ）、メールアドレス＋題名＋メール本文（５０文字以内、送信限界文字数の半分未満）を携帯電話６へ送信する（ステップＳ９）。
【００３０】
ステップＳ１０において、受信したメールのメールアドレスが「重要度４」の場合（図中、ＹＥＳ）、メールアドレス＋題名のみを携帯電話６へ送信する（ステップＳ１１）。
【００３１】
携帯電話６は、メール管理センター１から送信されたメールを受信し、メモリ６Ｍに記憶する（図示せず）。
【００３２】
なお、本実施の形態に係る携帯電話メール配信システムにおける携帯電話６は、多数のメールを記憶する容量を持たないメモリ６Ｍを有する移動通信端末も含む。
【００３３】
また、メール管理サーバー４は、インターネット７を介してメールを送信する送信者（ＬＡＮ環境８、ダイヤルアップ９、他の移動端末である携帯電話・ＰＨＳ１０などの利用者・操作者）によりメールに付加された識別子（添付メッセージなど）を認識し、電話帳管理サーバー３に登録された前記メールアドレスごとに登録された重要度を示す重要度番号に優先して、付加された識別子に基づき、メールのメール本文における送信文字数を設定することもできる。
【００３４】
なお、本実施の形態においては、本発明はそれに限定されず、本発明を適用する上で好適な携帯電話メール配信システムに適用することができる。
【００３５】
また、上記構成部材の数、位置、形状等は上記実施の形態に限定されず、本発明を実施する上で好適な数、位置、形状等にすることができる。
【００３６】
なお、各図において、同一構成要素には同一符号を付している。
【００３７】
【発明の効果】
本発明は以上のように構成されているので、以下に掲げる効果を奏する。
【００３８】
メール管理センターの電話帳（電話帳管理サーバー）に予め登録されたメールアドレス情報を利用して、登録外のメールアドレスからのメール受信を排除し、また、メールアドレス情報においてメールアドレスごとにメールの重要度合いを設定することで、メモリサイズが調整されたメールを携帯電話へ送信する。その結果、携帯電話のメモリは、重要なメールは多くの情報を記憶し、また、多くの件数のメールを有効に記憶できる。
【００３９】
また、予め登録されたメールアドレスからのメール受信のみ行なうことで、携帯電話に障害等悪影響を与えるウイルスの侵入を防ぎセキュリティを高めることができる。
【図面の簡単な説明】
【図１】本発明の実施の形態に係る携帯電話メール配信システムの概略構成を示す図である。
【図２】図１における動作の流れの一例を示すフローチャートである。
【符号の説明】
１  メール管理センター
２  制御装置（同期ホスト）
３  電話帳管理サーバー
４  メール管理サーバー（メールサーバー）
５  基地局
６  携帯電話
６Ｍ  メモリ
７  インターネット
８  ＬＡＮ環境
９  ダイヤルアップ
１０  携帯電話・ＰＨＳ
【図１】
0003699016.tif 000002
【図２】
0003699016.tif 000003